(57)【特許請求の範囲】
【請求項１】
被写体から入射した光に基づいて画像データを生成する撮像部と、
回転可能な第１ダイヤル操作部と、
境界線で囲まれた内側領域と、前記境界線の外側領域とで、異なる画像処理を施す画像処理部と、
前記第１ダイヤル操作部の回転操作に応じて、前記境界線の形状および位置を変更する境界制御部と、
を備え、
前記境界線は、中心点から放射状に伸びた複数の線分および前記複数の線分上に配置された境界線構成点を結ぶことによって形成され、
前記境界制御部は、前記第１ダイヤル操作部の回転操作に応じて、前記線分上の境界線構成点の位置を変更する撮像装置。
【請求項２】
被写体から入射した光に基づいて画像データを生成する撮像部と、
回転可能な第１ダイヤル操作部と、
境界線で囲まれた内側領域と、前記境界線の外側領域とで、異なる画像処理を施す画像処理部と、
前記第１ダイヤル操作部の回転操作に応じて、前記境界線の形状および位置を変更する境界制御部と、
中心点から放射状に伸びた複数の線分および前記複数の線分上に配置された境界線構成点を表示する電子ビューファインダと、
を備えた撮像装置。
【請求項３】
回転可能な第２ダイヤル操作部をさらに備え、
前記境界制御部は、
前記第１ダイヤル操作部の回転操作に応じて、前記複数の線分から一つの線分を選択し、
前記第２ダイヤル操作部の回転操作に応じて、選択された前記線分上における前記境界線構成点の位置を変更することを特徴とする請求項１又は２に記載の撮像装置。
【請求項４】
前記境界制御部は、
前記第１ダイヤル操作部の一方向の回転操作に応じて、前記複数の線分から一つの線分を選択し、
前記第１ダイヤル操作部の他方向の回転操作に応じて、選択された前記線分上における前記境界線構成点の位置を変更することを特徴とする請求項１又は２に記載の撮像装置。
【請求項５】
前記境界制御部は、
前記第１ダイヤル操作部の回転操作に応じて、前記複数の線分から一つの線分を選択する線分選択モードと、
前記第１ダイヤル操作部の回転操作に応じて、選択された前記線分上における前記境界線構成点の位置を変更する点選択モードとの間で切替可能であり、
前記線分選択モードと前記点選択モードとの切り替えを行なう切替操作部をさらに有することを特徴とする請求項１又は２に記載の撮像装置。
【請求項６】
前記中心点の位置を変更する中心位置操作部をさらに有することを特徴とする請求項１乃至５のいずれか1項に記載の撮像装置。
【請求項７】
前記境界制御部は、
前記中心位置操作部に対する操作に応じて、前記境界線の形状を維持しつつ前記境界線の位置を変更することを特徴とする請求項６に記載の撮像装置。
【請求項８】
前記境界制御部は、
前記第１ダイヤル操作部の回転操作に応じて、前記境界線の形状を変更する形状変更モードと、
前記第１ダイヤル操作部の回転操作に応じて、前記境界線の形状を維持しつつ前記境界線で囲まれる領域の大きさを変更する大きさ変更モードとの間で切り替え可能であり、
前記形状変更モードと、前記大きさ変更モードとの切り替えを行なう切替操作部をさらに有することを特徴とする請求項３乃至７のいずれか１項に記載の撮像装置。
【請求項９】
前記画像処理部は、前記内側領域と前記外側領域とで、画像の明るさ、コントラスト、ホワイトバランスおよび色合いの内、少なくともいずれか一つを変えることを特徴とする請求項１乃至８のいずれか１項に記載の撮像装置。
【請求項１０】
被写体から入射した光に基づいて画像データを生成する撮像部と、
回転可能な第１ダイヤル操作部と、
中心点から放射状に伸びた複数の線分および前記複数の線分上に配置された境界線構成点を表示する電子ビューファインダと、
を備えた撮像装置の制御方法であって、
境界線を、前記境界線構成点を結ぶことによって形成する境界線形成ステップと、
前記第１ダイヤル操作部の回転操作に応じて、前記線分上の境界線構成点の位置を変更することにより、前記境界線の形状および位置を設定する境界設定ステップと、
前記境界線で囲まれた内側領域と、前記境界線の外側領域とで、異なる画像処理を施す画像処理ステップと、
を含む撮像装置の制御方法。
【請求項１１】
被写体から入射した光に基づいて画像データを生成する撮像部と、
回転可能な第１ダイヤル操作部と、
中心点から放射状に伸びた複数の線分および前記複数の線分上に配置された境界線構成点を表示する電子ビューファインダと、
を備えた撮像装置の制御プログラムであって、
境界線を、前記境界線構成点を結ぶことによって形成する境界線形成ステップと、
前記第１ダイヤル操作部の回転操作に応じて、前記線分上の境界線構成点の位置を変更することにより、前記境界線の形状および位置を設定する境界設定ステップと、
前記境界線で囲まれた内側領域と、前記境界線の外側領域とで、異なる画像処理を施す画像処理ステップと、
を撮像装置に実行させる制御プログラム。
【発明の詳細な説明】
【技術分野】
【０００１】
本発明は、撮像装置、撮像装置の制御方法、および撮像装置の制御プログラムに関する。
【背景技術】
【０００２】
上記技術分野において、特許文献１には、特殊なフィルタユニットを用いることにより、複数のＮＤ（Neutral Density）フィルタを取り替えることなく、撮像画像中の部分的な光量調整を行なうことのできる撮像装置が開示されている。特許文献１では、構図の明るさを部分的に抑えたり、色味を部分的に変えたりするためのＮＤハーフフィルタが開示されている。平面フィルタをスライドしたり回転したりすることで、構図のどの部分にフィルタリング効果を与えるかを決めることができる。
【先行技術文献】
【特許文献】
【０００３】
【特許文献１】特開昭５４−１３０１２１号公報
【発明の概要】
【発明が解決しようとする課題】
【０００４】
しかしながら、上記特許文献１に記載の技術では、特殊なレンズフィルタを購入して取り付ける必要があり、気軽に画像処理効果を楽しめるものではなかった。また、フィルタの場合、画像を直線的に分割した分割領域に対して効果を施すのみであり、撮影時に自由な領域に対して所望の効果を施すことはできなかった。
【０００５】
本発明の目的は、上述の課題を解決する技術を提供することにある。
【課題を解決するための手段】
【０００６】
上記目的を達成するため、本発明に係る撮像装置は、
被写体から入射した光に基づいて画像データを生成する撮像部と、
回転可能な第１ダイヤル操作部と、
境界線で囲まれた内側領域と、前記境界線の外側領域とで、異なる画像処理を施す画像処理部と、
前記第１ダイヤル操作部の回転操作に応じて、前記境界線の形状および位置を変更する境界制御部と、
を備え、
前記境界線は、中心点から放射状に伸びた複数の線分および前記複数の線分上に配置された境界線構成点を結ぶことによって形成され、
前記境界制御部は、前記第１ダイヤル操作部の回転操作に応じて、前記線分上の境界線構成点の位置を変更する。
【０００７】
上記目的を達成するため、本発明に係る撮像装置の制御方法は、
被写体から入射した光に基づいて画像データを生成する撮像部と、
回転可能な第１ダイヤル操作部と、
中心点から放射状に伸びた複数の線分および前記複数の線分上に配置された境界線構成点を表示する電子ビューファインダと、
を備えた撮像装置の制御方法であって、
境界線を、前記境界線構成点を結ぶことによって形成する境界線形成ステップと、
前記第１ダイヤル操作部の回転操作に応じて、前記線分上の境界線構成点の位置を変更することにより、前記境界線の形状および位置を設定する境界設定ステップと、
前記境界線で囲まれた内側領域と、前記境界線の外側領域とで、異なる画像処理を施す画像処理ステップと、
を含む。
【０００８】
上記目的を達成するため、本発明に係る撮像装置の制御プログラムは、
被写体から入射した光に基づいて画像データを生成する撮像部と、
回転可能な第１ダイヤル操作部と、
中心点から放射状に伸びた複数の線分および前記複数の線分上に配置された境界線構成点を表示する電子ビューファインダと、
を備えた撮像装置の制御プログラムであって、
境界線を、前記境界線構成点を結ぶことによって形成する境界線形成ステップと、
前記第１ダイヤル操作部の回転操作に応じて、前記線分上の境界線構成点の位置を変更することにより、前記境界線の形状および位置を設定する境界設定ステップと、
前記境界線で囲まれた内側領域と、前記境界線の外側領域とで、異なる画像処理を施す画像処理ステップと、
を撮像装置に実行させる。
【発明の効果】
【０００９】
本発明によれば、ファインダを覗き込みながらでも、容易に画像の一部の領域を指定することができる。
【図面の簡単な説明】
【００１０】
【図１】本発明の第１実施形態に係る撮像装置の機能構成を示すブロック図である。
【図２Ａ】本発明の第１実施形態に係る撮像装置の外観を示す図である。
【図２Ｂ】本発明の第１実施形態に係る撮像装置の外観を示す図である。
【図２Ｃ】本発明の第１実施形態に係る撮像装置の外観を示す図である。
【図３】本発明の第１実施形態に係る撮像装置による境界線の制御方法を示す図である。
【図４】本発明の第１実施形態に係る撮像装置による境界線の制御方法を示す図である。
【図５】本発明の第１実施形態に係る撮像装置による境界線の制御方法を示す図である。
【図６】本発明の第１実施形態に係る撮像装置による画像処理領域の制御方法を示す図である。
【図７】本発明の第１実施形態に係る撮像装置による境界線の決定処理を示すフローチャートである。
【図８】本発明の第１実施形態に係る撮像装置による処理を示すフローチャートである。
【図９】本発明の他の実施形態に係る撮像装置での境界線制御を説明する図である。
【発明を実施するための形態】
【００１１】
以下に、図面を参照して、本発明の実施の形態について例示的に詳しく説明する。ただし、以下の実施の形態に記載されている構成要素はあくまで例示であり、本発明の技術範囲をそれらのみに限定する趣旨のものではない。なお、本明細書中、「ライブビュー」とは、撮影時に表示部をファインダ代わりに使う表示状態をいう。一方、「スルー画像」とは、レンズを通った光を直接、撮像素子に当てることにより、取得したライブビュー用の画像とする。
【００１２】
［第１実施形態］
本発明の第１実施形態としての撮像装置１００について、図１乃至図８を用いて説明する。撮像装置１００は、いわゆるデジタルカメラである。図１は、撮像装置１００の機能構成を示すブロック図である。図１に示すとおり、撮像装置１００は、撮像部１０１と、画像処理部１０２と、記憶部１０３と、背面モニタ１０４と、電子ビューファインダ１０５と、アイセンサ１０６と、境界制御部１０７とを含む。また、操作系として、ダイヤル操作部１０８、１０９と、十字キー１１０と、シャッタボタン１１１と、画像効果切替ボタン１１２とを含む。
【００１３】
撮像部１０１は、例えばＣＣＤ（Charge-Coupled Device）やＣＭＯＳ（Complementary Metal-Oxide-Semiconductor）センサなどの撮像素子を含み、被写体１２０から入射した光に基づいて画像データを生成する。画像処理部１０２は、撮像部１０１で生成された画像データに対して、何らかの処理を加える。例えば、記録に適したデータ形式への変換や、表示用メモリへの展開といった処理を行なう。また、画像処理部１０２は、特に、境界制御部１０７にて設定された境界線で囲まれた内側領域と、境界線の外側領域とで、異なる画像処理を施す。ここでの、画像処理としては、ハイライトおよびシャドー制御、ホワイトバランス制御、明るさ制御、コントラスト制御、色相・彩度制御などを挙げることができる。例えば、覆い焼き処理として、境界線の内側のみを暗く（または明るく）処理してもよい。
【００１４】
記録部１０３は、撮像部１０１で撮像された画像データまたは画像処理部１０２で処理を加えられた処理済み画像データを記憶する。
【００１５】
背面モニタ１０４は、撮像装置１００の背面に設けられ、撮像され、処理を加えられた画像、記録部１０３に記録された画像を表示する。
【００１６】
電子ビューファインダ（Electronic viewfinder）１０５は、カメラのファインダに液晶や有機ＥＬ等の画面を使ったものである。電子ビューファインダ１０５は撮像部１０１で生成された画像データをファインダ内の液晶画面に表示する機構になっている。画像処理付与時においてもファインダで見たとおりに撮影することができ、複雑な光学系も必要ないというメリットがある。
【００１７】
アイセンサ１０６は、ユーザが電子ビューファインダ１０５をのぞき込んでいるかいなかを判断するためのセンサであり、ユーザが電子ビューファインダ１０５をのぞき込んでいると判断すると、背面モニタ１０４における表示から電子ビューファインダ１０５における表示へ切り替える。これにより、電子ビューファインダ１０５をのぞき込んで撮影した後、撮影画像の確認を、背面モニタ１０４を用いて行なうといった一連の動作を自然に行うことができる。
【００１８】
ダイヤル操作部１０８、１０９は、回転操作可能に設けられ、十字キー１１０は、押圧操作可能に設けられているが、切替ボタンを設けてダイヤル機能の切り替えを行なうことでダイヤル操作部を一つに集約してもよい。境界制御部１０７は、ダイヤル操作部１０８、１０９の回転操作および十字キー１１０のプッシュ操作に応じて、境界線の形状および位置を制御する。制御中の境界線は電子ビューファインダ１０５や背面モニタ等の画面に表示される。
【００１９】
画像効果切替ボタン１１２は、境界線で囲まれた内側領域または境界線の外側領域の画像に対して施す画像効果を順次選択可能に切り替えるためのボタンである。シャッタボタン１１１は、撮像部１０１に対して、撮像指示を出力するボタンである。
【００２０】
図２Ａ、図２Ｂは、撮像装置１００の外観およびその使用方法を示す図である。図２Ａに示すとおり、撮像装置１００は、ダイヤル操作部１０８、１０９およびシャッタボタン１１１を筐体の上面に備えている。このようなレイアウトであれば、右手の人差し指で前側のダイヤル操作部１０８を操作しながら、右手の親指で後側のダイヤル操作部１０９を操作可能である。しかし本発明はこれに限定されるものではなく、バーサタイルリングと呼ばれるレンズ周囲を回動するリングなど、他のリングを併用してもよい。また、撮像装置１００は、背面に、背面モニタ１０４と電子ビューファインダ１０５とアイセンサ１０６と十字キー１１０と画像効果切替ボタン１１２とを備えている。図２Ｂに示す通り、電子ビューファインダ１０５をのぞき込んでいる間は、タッチパネル式の背面モニタ１０４をうまく操作することは難しい。そこで、本実施形態では、右手の親指２０１および人差し指２０２を用いたダイヤル操作に応じて画像処理領域の形状および位置を自由に設定できることとした。これにより、手ぶれを防ぎつつ、ユーザを撮影および画像処理に集中させることができる。なお、図２Ｃに示すように、撮像装置１００は、前面に、バーサタイルリング２１２を有してもよく、バーサタイルリングの操作によって、境界線の形状や位置を変更したり、境界線を回転させたりしてもよい。
【００２１】
図３は、電子ビューファインダ１０５において、レンズを通して取り込んだ被写体画像に重畳表示される、境界線設定用画像３０１を示す図である。境界線設定用画像３０１は、中心点３１１と、中心点３１１から放射状に伸びた複数の線分Ａ〜Ｐと、複数の線分Ａ〜Ｐのそれぞれの上に配置された境界線構成点３１３とを含む。境界線３１４は、全ての境界線構成点３１３を結ぶことによって形成される。なお、ここでは、１２本の線分が等角度間隔で配置されているが、本発明はこれに限定されるものではない。例えば、６本の線分を等角度間隔で放射状に配置してもよいし、線分の本数を切り替えられるようにしてもよい。
【００２２】
境界制御部１０７は、ダイヤル操作部１０８、１０９の回転操作に応じて、線分Ａ〜Ｐ上の境界線構成点３１３の位置を変更する。具体的には、境界制御部１０７は、ダイヤル操作部１０８の回転操作に応じて、複数の線分Ａ〜Ｐから一つの線分（例えば線分Ｃ）を矢印３１６のように選択し、ダイヤル操作部１０９の回転操作に応じて、選択された線分Ｃ上における境界線構成点３１３の位置を変更する。
【００２３】
境界制御部１０７は、ダイヤル操作部１０８の一方向（例えば右回転）の回転操作に応じて、複数の線分Ａ〜Ｐから一つの線分を選択し、他方向（例えば左回転）の回転操作に応じて、選択された線分上における境界線構成点３１３の位置を変更してもよい。その場合、図３の矢印３１５とは異なり、境界線構成点３１３の位置変更は内側向きまたは外側向きの一方向であり、線分の一端（例えば外側端）に達すると、線分の他端（例えば中心点）に移動してもよい。そのようにすれば、１つのダイヤル操作部で境界線の形状を制御することができる。
【００２４】
境界制御部１０７は、ダイヤル操作部１０８の回転操作に応じて、複数の線分Ａ〜Ｐから一つの線分を選択する線分選択モードと、選択された線分上における境界線構成点３１３の位置を変更する点選択モードとの間で切り替え可能であってもよい。その場合、線分選択モードと点選択モードとの切り替えを行なう切替操作部をさらに有することが好ましい。
【００２５】
ダイヤル操作部１０８については、人差し指２０２で操作することを前提としており、まわしやすいので、線分選択に適している。一方、ダイヤル操作部１０９については、親指２０１で往復操作することを前提としているため、線分上の境界線構成点の移動に適している。バーサタイルリングを含め、こうしたダイヤルは、指先だけで簡単に双方向に操作でき、簡単に試行錯誤できるため、画像処理対象となる領域を迅速かつ的確に設定することができる。操作中に指の位置を変える必要がないため、ファインダを覗きながらの操作に特に適している。
【００２６】
図４に示す通り、十字キー１１０は、電子ビューファインダ１０５内における中心点３１１の位置を変更する中心位置操作部として機能する。十字キー１１０を操作することにより、中心点３１１は、上下左右に移動し、それに伴い、放射状の線分Ａ〜Ｐおよび境界線構成点３１３は、それらの相対位置を変えることなく、上下左右に移動する。つまり、境界線３１４で囲まれた領域を、形状を変えずに移動することができる。中心点３１１を移動することにより、境界線３１４をそのまま移動すると電子ビューファインダ１０５で見えている画像範囲をはみ出すこととなる場合には、図４の画面４０１に示す通り、境界線構成点３１３が、線分Ａ〜Ｐの内側に向けて（図中白丸から黒丸へ）自動的に移動する。これにより、電子ビューファインダ１０５の端縁に境界線構成点３１３が配置され、境界線３１４は、必ず電子ビューファインダ１０５内に表示される。
【００２７】
図５に示すように、境界制御部１０７は、境界線の形状を変更する形状変更モード５０１と、ダイヤル操作部１０８の回転操作に応じて、境界線３１４の形状を維持しつつ境界線３１４で囲まれる領域の大きさを変更する大きさ変更モード５０２とを有してもよい。この場合、撮像装置１００は背面に、形状変更モード５０１と、大きさ変更モード５０２との切り替えを行なう切替操作部５０３をさらに有する。切替操作部５０３の代わりにバーサタイルリング２１２を形状変更モード５０１と大きさ変更モード５０２との切り替えに用いてもよい。
【００２８】
図６に示すように、電子ビューファインダ１０５は、境界線３１４の内側領域と外側領域とを明確に区別できるように表示してもよい。例えば、画像処理対象となる内側領域のみスルー画像を明瞭に表示し、外側領域に対して半透過グレーをかぶせてもよい。撮像装置１００は、画像処理対象となる領域を、境界線３１４の内側とするか外側とするかを切り替える切替操作部６０１を有してもよい。切替操作部６０１を操作することにより、画面６０２、６０３が切り替わることになる。もちろん境界線で画像処理を切り替えるのではなく、境界線を中心に一定の幅で段階的に処理を切り替えてもよい。
【００２９】
境界線の形状および位置をコピーして、同じ画像中に複数の画像処理領域を設定してもよい。また、ある画像における境界線の形状および位置をコピーして、他の画像に対して適用することも可能である。
【００３０】
図７は、画像処理対象領域を確定するための処理の流れを示すフローチャートである。ステップＳ７０１において、境界線３１４の形状および位置を変更せず、大きさのみを変更すべきか否かを判定する。大きさのみを変更すべきと判定すると、ステップＳ７０２に進み、図５を用いて説明したとおり、ダイヤル操作部１０８で、画像処理対象領域の大きさを変更し、ステップＳ７０５に進む。
【００３１】
画像処理対象領域の形状を変更する場合、ステップＳ７０１からステップＳ７０３に進み、ユーザによるダイヤル操作部１０８の操作に応じて線分Ａ〜Ｐから、境界線構成点を移動させたい一つの線分を選択する。次に、ステップＳ７０４において、ダイヤル操作部１０９の操作に応じて、線分上における境界線構成点の位置を選択する。
【００３２】
ステップＳ７０５においては、十字キー１１０の操作に応じて、中心点３１１の位置を選択した後、ステップＳ７０７で、境界線の内側と外側のいずれの領域を画像処理の対象とするか選択する。画像処理の対象領域を決定しなければ、ステップＳ７０１に戻り、何度でも境界線の形状および位置を変更できる。画像処理の対象領域を決定すると、ステップＳ７０９に進み、画像処理の種類を選択する。例えば、ハイライトおよびシャドー制御、ホワイトバランス制御、明るさ制御、コントラスト制御、色相・彩度制御などからいずれかの画像処理を選択する。ここでの選択は、ダイヤル操作部を用いてもよい。
【００３３】
図８は、撮像装置１００の全体処理の流れを説明するためのフローチャートである。まずステップＳ８０１で撮像モードが再生モードまたは撮影モードか判定する。再生モードの場合にはステップＳ８０３に進み、再生処理を行なう。撮影モードであれば、ステップＳ８０５に進み、スルー画像を表示する。次にステップＳ８０７において、部分領域処理モードか否か判定する。部分領域処理モードでなければステップＳ８０９に進み、他の処理を行なって処理を終了する。部分領域処理モードであれば、ステップＳ８１１に進み、境界線をスルー画像に重畳表示する。
【００３４】
次に、ステップＳ８１３において、部分領域処理のパラメータの初期化が必要か否か判定する。初期化が必要と判定すると、ステップＳ８１５において、部分領域処理のパラメータ（境界線の形状、位置、画像処理効果など）を初期化する。ユーザの操作開始時ややり直し操作の時には初期化が可能で、連続操作時は前の操作を反映させる。
【００３５】
次に、ステップＳ８１７において、図７で示した通り、ダイヤル操作部１０８、１０９や十字キー１１０などの操作に応じて、境界線の形状および位置を決定し、さらに画像処理の種類を選択する。次に、ステップＳ８１９に進み撮影が行なわれたか否かを判定し、撮影が行なわれた場合にはステップＳ８２１に進んで撮影、画像処理、記録を行なう。撮影以外が行なわれた場合にはステップＳ８０１に戻る。
【００３６】
以上、本実施形態によれば、電子ビューファインダをのぞき込みながら、画像処理を加えたい領域を自由かつ簡便に設定することができる。
【００３７】
［他の実施形態］
以上、実施形態を参照して本願発明を説明したが、本願発明は上記実施形態に限定されるものではない。本願発明の構成や詳細には、本願発明のスコープ内で当業者が理解し得る様々な変更をすることができる。また、それぞれの実施形態に含まれる別々の特徴を如何様に組み合わせたシステムまたは装置も、本発明の範疇に含まれる。上記実施形態では、図３を例にして、放射状の線分上で境界線構成点を決定してく方法について述べたが、線分の配置や本数や、デフォルト（初期設定）の領域形状としては、上記実施形態に限定されない。図９（ａ）〜（ｃ）に示すように、様々な形状および線分を用いて境界線を定義してもよい。
【００３８】
また、本発明は、複数の機器から構成されるシステムに適用されてもよいし、単体の装置に適用されてもよい。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ(World Wide Web)サーバも、本発明の範疇に含まれる。特に、少なくとも、上述した実施形態に含まれる処理ステップをコンピュータに実行させるプログラムを格納した非一時的コンピュータ可読媒体（non-transitory computer readable medium）は本発明の範疇に含まれる。
【図１】
0006539510.tif 000002
【図２Ａ】
0006539510.tif 000003
【図２Ｂ】
0006539510.tif 000004
【図２Ｃ】
0006539510.tif 000005
【図３】
0006539510.tif 000006
【図４】
0006539510.tif 000007
【図５】
0006539510.tif 000008
【図６】
0006539510.tif 000009
【図７】
0006539510.tif 000010
【図８】
0006539510.tif 000011
【図９】
0006539510.tif 000012